(57)【要約】 【課題】  簡単な工程で低コストで成形することができると共に、飲料用カップに蓋を施したままでカップ内飲料を飲用でき、飲用しないときはカップ内を密閉してカップ内飲料が漏れ出すのを防止できる飲料用カップの蓋を提供する。【解決手段】  天板部１と、飲料用カップの開口部に係合する係合部２とからなる飲料用カップの蓋であって、前記天板部１の周囲に沿って起立部３を形成し、該起立部３の頂面に飲み口孔４を設けると共に、該飲み口孔４を開閉可能に塞ぐ栓部材７を連結部材８を介して前記係合部２に一体成形して設け、前記栓部材７を収納する収納部１３を前記天板部１又は起立部３に設けてある。【選択図】    図１
2006160366.tif 000002
【特許請求の範囲】
【請求項１】
天板部と、飲料用カップの開口部に係合する係合部とからなる飲料用カップの蓋であって、前記天板部の周囲に沿って起立部を形成し、該起立部の頂面に飲み口孔を設けると共に、該飲み口孔を開閉可能に塞ぐ栓部材を連結部材を介して前記係合部に一体成形して設け、前記栓部材を収納する収納部を前記天板部又は起立部に設けた飲料用カップの蓋。
【請求項２】
前記起立部の正面位置に上向きに膨出した膨出部を設け、この膨出部の頂面に前記飲み口孔を設けてある請求項１に記載の飲料用カップの蓋。
【請求項３】
前記収納部が前記栓部材と嵌合する嵌合凹部からなる請求項１又は２に記載の飲料用カップの蓋。
【請求項４】
前記栓部材に把持片を設けた請求項１乃至３の何れかに記載の飲料用カップの蓋。
【請求項５】
前記天板部又は起立部に突起部を設けると共に、前記連結部材に該突起部と嵌合する嵌合孔を設け、前記栓部材を前記収納部に収納時に該突起部と嵌合孔が嵌合するようにした請求項１乃至４の何れかに記載の飲料用カップの蓋。
【請求項６】
前記栓部材を前記天板部の中心から前記飲み口孔に向かって左又は右に９０度以内に設けた請求項１乃至５の何れかに記載の飲料用カップの蓋。
【請求項７】
前記連結部材を前記天板部の中心と前記飲み口孔を結ぶ線から左又は右に２０度〜７０度の方向に設けた請求項６に記載の飲料用カップの蓋。
【請求項８】
前記収納部を前記天板部又は起立部の前記栓部材寄りの部分に設けた請求項６又は７に記載の飲料用カップの蓋。
【請求項９】
前記起立部を前記天板部の周囲の一部に円弧状に形成した請求項１乃至８の何れかに記載の飲料用カップの蓋。
【請求項１０】
前記起立部を前記天板部の周囲に環状に形成した請求項１乃至８の何れかに記載の飲料用カップの蓋。
【請求項１１】
前記栓部材が前記飲み口孔を塞いだ状態において、前記栓部材と前記連結部材が起立部の内周側に突出しないように形成した請求項１０に記載の飲料用カップの蓋。
【請求項１２】
環状に形成した起立部内の天板部の前記飲み口孔に隣接する部分に凹部を形成した請求項１０又は１１に記載の飲料用カップの蓋。
【請求項１３】
天板部と、飲料用カップの開口部に係合する係合部とからなる飲料用カップの蓋であって、前記天板部の正面位置に上向きに膨出した膨出部を設け、この膨出部の頂面に飲み口孔を設けと共に、該飲み口孔を開閉可能に塞ぐ栓部材を連結部材を介して前記係合部に一体成形して設け、前記栓部材を収納する収納部を前記天板部又は起立部に設けた飲料用カップの蓋。
【発明の詳細な説明】
【技術分野】
【０００１】
本発明は、例えばファーストフード店等のテイクアウト用に使用される飲料用カップに用いて好適な蓋に関する。
【背景技術】
【０００２】
ファーストフード店等でテイクアウト用の飲料用カップに使用する蓋があり、飲料用カップに蓋を施したままでカップ内飲料を飲用できるよう蓋の天板部の周囲に環状の起立部を有し、この起立部の頂面の一部に飲み口用孔を形成した飲料用カップの蓋が知られている（例えば特許文献１，２参照）。
さらに、飲み口用開口を有する飲料用カップの蓋の該飲み口の衛生性を保持するため、蓋の表面に剥離可能なフィルム状の剥離層を被覆した飲料用カップの蓋も知られている（例えば特許文献３参照）。
【特許文献１】実開昭６３−１９２２６５号公報
【特許文献２】登録実用新案第３０３０２７２号公報
【特許文献３】実開平６−５５４７２号公報
【発明の開示】
【発明が解決しようとする課題】
【０００３】
しかし、特許文献１，２に記載の飲料用カップの蓋は、飲料用カップに蓋を施した状態でも常に飲み口用孔が開口しているために、飲料用カップを持ち運んでいるときなどに不用意にカップを傾けたり倒したりするとカップ内の飲料が飲み口用孔から漏れ出すという課題があった。
また、特許文献３に記載の飲料用カップの蓋は、フイルム状の剥離層を蓋の表面から剥がすまではカップ内が密閉されて飲料が漏れ出すことはないが、一度剥離層を剥がすと飲み口用孔が開口したままの状態になるために、飲料を飲み終わるまでに不用意にカップを傾けたり倒したりするとカップ内の飲料が飲み口用孔から漏れ出すという課題が残っていた。
【０００４】
そこで、本発明は、簡単な工程で低コストで成形することができると共に、飲料用カップに蓋を施したままでカップ内飲料を飲用でき、飲用しないときはカップ内を密閉してカップ内飲料が漏れ出すのを防止できる飲料用カップの蓋を提供するものである。
【課題を解決するための手段】
【０００５】
本発明は、上記課題を解決するために、天板部と、飲料用カップの開口部に係合する係合部とからなる飲料用カップの蓋であって、前記天板部の周囲に沿って起立部を形成し、該起立部の頂面に飲み口孔を設けると共に、該飲み口孔を開閉可能に塞ぐ栓部材を連結部材を介して前記係合部に一体成形して設け、前記栓部材を収納する収納部を前記天板部又は起立部に設けた飲料用カップの蓋を提供するものである。
【０００６】
また、本発明は、前記起立部の正面位置に上向きに膨出した膨出部を設け、この膨出部の頂面に前記飲み口孔を設けてある請求項１に記載の飲料用カップの蓋を提供するものである。
【０００７】
また、本発明は、前記収納部が前記栓部材と嵌合する嵌合凹部からなる請求項１又は２に記載の飲料用カップの蓋を提供するものである。
【０００８】
また、本発明は、前記栓部材に把持片を設けた請求項１乃至３の何れかに記載の飲料用カップの蓋を提供するものである。
【０００９】
また、本発明は、前記天板部又は起立部に突起部を設けると共に、前記連結部材に該突起部と嵌合する嵌合孔を設け、前記栓部材を前記収納部に収納時に該突起部と嵌合孔が嵌合するようにした請求項１乃至４の何れかに記載の飲料用カップの蓋を提供するものである。
【００１０】
また、本発明は、前記栓部材を前記天板部の中心から前記飲み口孔に向かって左又は右に９０度以内に設けた請求項１乃至５の何れかに記載の飲料用カップの蓋を提供するものである。
【００１１】
また、本発明は、前記連結部材を前記天板部の中心と前記飲み口孔を結ぶ線から左又は右に２０度〜７０度の方向に設けた請求項６に記載の飲料用カップの蓋を提供するものである。
【００１２】
また、本発明は、前記収納部を前記天板部又は起立部の前記栓部材寄りの部分に設けた請求項６又は７に記載の飲料用カップの蓋を提供するものである。
【００１３】
また、本発明は、前記起立部を前記天板部の周囲の一部に円弧状に形成した請求項１乃至８の何れかに記載の飲料用カップの蓋を提供するものである。
【００１４】
また、本発明は、前記起立部を前記天板部の周囲に環状に形成した請求項１乃至８の何れかに記載の飲料用カップの蓋を提供するものである。
【００１５】
また、本発明は、前記栓部材が前記飲み口孔を塞いだ状態において、前記栓部材と前記連結部材が起立部の内周側に突出しないように形成した請求項１０に記載の飲料用カップの蓋を提供するものである。
【００１６】
また、本発明は、環状に形成した起立部内の天板部の前記飲み口孔に隣接する部分に凹部を形成した請求項１０又は１１に記載の飲料用カップの蓋を提供するものである。
【００１７】
また、本発明は、天板部と、飲料用カップの開口部に係合する係合部とからなる飲料用カップの蓋であって、前記天板部の正面位置に上向きに膨出した膨出部を設け、この膨出部の頂面に飲み口孔を設けと共に、該飲み口孔を開閉可能に塞ぐ栓部材を連結部材を介して前記係合部に一体成形して設け、前記栓部材を収納する収納部を前記天板部又は起立部に設けた飲料用カップの蓋を提供するものである。
【発明の効果】
【００１８】
本発明に係る飲料用カップの蓋によれば、天板部と、飲料用カップの開口部に係合する係合部とからなる飲料用カップの蓋であって、前記天板部の周囲に沿って起立部を形成し、該起立部の頂面に飲み口孔を設けると共に、該飲み口孔を開閉可能に塞ぐ栓部材を連結部材を介して前記係合部に一体成形して設け、前記栓部材を収納する収納部を前記天板部又は起立部に設けた構成を有することにより、従来の飲み口孔に開閉機能のない飲料用カップの蓋と同様の簡単な成形工程で飲み口孔に開閉機能を付加した飲料用カップの蓋を成形することができる。また、テイクアウト用の飲料用カップに使用した場合でも栓部材で飲み口孔を塞ぐことによってカップ内を密閉して飲料が漏れ出すのを阻止することができる。一方、カップ内の飲料を飲用するときには、栓部材を飲み口孔から外して収納部に収納することにより、栓部材や連結部材が口の周りに当たって邪魔になることもなく、飲料用カップに蓋を施したままでカップ内の飲料を飲用することができる効果がある。
【００１９】
また、本発明は、前記起立部の正面位置に上向きに膨出した膨出部を設け、この膨出部の頂面に前記飲み口孔を設けてある請求項１に記載の構成を有することにより、従来の飲み口孔に開閉機能のない飲料用カップの蓋と同様の簡単な成形工程で飲み口孔に開閉機能を付加した飲料用カップの蓋を成形することができる。また、テイクアウト用の飲料用カップに使用した場合でも栓部材で飲み口孔を塞ぐことによってカップ内を密閉して飲料が漏れ出すのを阻止することができる。一方、カップ内の飲料を飲用するときには、栓部材を飲み口孔から外して収納部に収納することにより、栓部材や連結部材が口の周りに当たって邪魔になることもなく、飲料用カップに蓋を施したままでカップ内の飲料を飲用することができる効果がある。さらに、膨出部を口に含むことにより、容易かつ簡単にカップ内の飲料を飲用することができる効果がある。
【００２０】
また、本発明は、前記収納部が前記栓部材と嵌合する嵌合凹部からなる請求項１又は２に記載の構成を有することにより、栓部材を収納部に嵌め込むという簡単な操作によって栓部材を収納することができる効果がある。
【００２１】
また、本発明は、前記栓部材に把持片を設けた請求項１乃至３の何れかに記載の構成を有することにより、把持片を把持して簡単に栓部材を飲み口孔又は収納部に嵌め込んだり取り外したりすることができる効果がある。
【００２２】
また、本発明は、前記天板部又は起立部に突起部を設けると共に、前記連結部材に該突起部と嵌合する嵌合孔を設け、前記栓部材を前記収納部に収納時に該突起部と嵌合孔が嵌合するようにした請求項１乃至４の何れかに記載の構成を有することにより、栓部材の収納時に突起部と嵌合孔を嵌合させて、連結部材の弛みを防止することができる効果がある。
【００２３】
また、本発明は、前記栓部材を前記天板部の中心から前記飲み口孔に向かって左又は右に９０度以内に設けた請求項１乃至５の何れかに記載の構成を有することにより、連結部材の長さを短くすることができ、栓部材で飲み口孔を容易に塞ぐことができる効果がある。
【００２４】
また、本発明は、前記連結部材を前記天板部の中心と前記飲み口孔を結ぶ線から左又は右に２０度〜７０度の方向に設けた請求項６に記載の構成を有することにより、連結部材を飲み口孔から離れた箇所に設けたから飲料を飲むときに連結部材が口の周りに当たって邪魔になることがない。また、連結部材を飲み口孔から一定の範囲内に設けたから連結部材の長さを短くすることができる効果がある。
【００２５】
また、本発明は、前記収納部を前記天板部又は起立部の前記栓部材寄りの部分に設けた請求項６又は７に記載の構成を有することにより、連結部材の長さを短くすることができ、栓部材を収納部に容易に収納することができる効果がある。
【００２６】
また、本発明は、前記起立部を前記天板部の周囲の一部に円弧状に形成した請求項１乃至８の何れかに記載の構成を有することにより、飲み口孔が天板部より突出しているから、ストロー等を使用することなく唇で起立部を咥えて容易に飲料を飲用することができる効果がある。
【００２７】
また、本発明は、前記起立部を前記天板部の周囲に環状に形成した請求項１乃至８の何れかに記載の構成を有することにより、飲み口孔が天板部より突出しているから、ストロー等を使用することなく唇で起立部を咥えて容易に飲料を飲用することができると共に、起立部内の天板部に他の飲料用カップを受容することができる効果がある。
【００２８】
また、本発明は、前記栓部材が前記飲み口孔を塞いだ状態において、前記栓部材と前記連結部材が起立部の内周側に突出しないように形成した請求項１０に記載の構成を有することにより、栓部材が飲み口孔を塞いだ状態においても起立部内の天板部に他の飲料用カップを受容することができる効果がある。
【００２９】
また、本発明は、環状に形成した起立部内の天板部の前記飲み口孔に隣接する部分に凹部を形成した請求項１０は１１に記載の構成を有することにより、上唇が凹部に没入して天板部に圧接しないから、飲用者に不快感を与えることもなく、唇で起立部を確実に咥えて飲料を飲用することができる効果がある。
【００３０】
また、本発明は、天板部と、飲料用カップの開口部に係合する係合部とからなる飲料用カップの蓋であって、前記天板部の正面位置に上向きに膨出した膨出部を設け、この膨出部の頂面に飲み口孔を設けると共に、該飲み口孔を開閉可能に塞ぐ栓部材を連結部材を介して前記係合部に一体成形して設け、前記栓部材を収納する収納部を前記天板部又は起立部に設けた構成を有することにより、従来の飲み口孔に開閉機能のない飲料用カップの蓋と同様の簡単な成形工程で飲み口孔に開閉機能を付加した飲料用カップの蓋を成形することができる。また、テイクアウト用の飲料用カップに使用した場合でも栓部材で飲み口孔を塞ぐことによってカップ内を密閉して飲料が漏れ出すのを阻止することができる。一方、カップ内の飲料を飲用するときには、栓部材を飲み口孔から外して収納部に収納することにより、栓部材や連結部材が口の周りに当たって邪魔になることもなく、飲料用カップに蓋を施したままでカップ内の飲料を飲用することができる効果がある。さらに、膨出部を口に含むことにより、容易かつ簡単にカップ内の飲料を飲用することができる効果がある。
【発明を実施するための最良の形態】
【００３１】
本発明の実施の形態を図示する実施例に基づいて説明する。
本発明に係る飲料用カップの蓋は、合成樹脂フィルム又は合成樹脂板の成形品であり、紙又は合成樹脂製の飲料用カップの開口部に被せて使用するものである。
【実施例１】
【００３２】
図１乃至図６に本発明の実施例１を示す。この実施例において、１０は蓋本体であり、合成樹脂シートを絞り成形加工して、飲料用カップの開口を塞ぐ天板部１と、飲料用カップの開口部に係合する係合部２とから構成してある。また、係合部２は、図６に示すように、蓋本体１０のスカート状の外周部１１と、この外周部１１の上端部に形成した係合凹部１２とからなり、蓋本体１０を飲料用カップの開口部に被せると、係合凹部１２がカップの開口部フランジに係合し、外周部１１の弾性力により係合部２とカップの開口部との密着を維持するようにしてある。
【００３３】
天板部１の上面には、周囲に沿って起立部３を形成し、該起立部３の頂面に長円形状の飲み口孔４を設けてある。図示の実施例において、起立部３は、天板部１の周囲に環状に形成してあると共に、この起立部３内の天板部１には、飲み口孔４に隣接する部分に凹部６を形成し、飲み口孔４の周囲の起立部３は口当て部５を成してある。従って、唇で口当て部５を咥えてカップ内の飲料を飲むときに、上唇が天板部１に圧接することがなく快適に飲用することができる。
【００３４】
なお、起立部３の形状は図示の実施例に限定されず、天板部１に対して口当て部５を成す部分の起立部３の頂面を高く形成することにより凹部６を設けない構成にすることもできる他、起立部を天板部１の周囲の一部に円弧状に形成して該起立部の頂面に飲み口孔４を設けることも可能である。
【００３５】
図１及び図２に示すように、係合部２の先端部には、連結部材８を介して飲み口孔４を開閉可能に塞ぐ栓部材７を一体成形して設けてある。図示の実施例において、栓部材７は、飲み口孔４と嵌合するように長円形状に突起させて形成してある。
また、栓部材７には把持片９を一体的に設けてあり、この把持片９を把持して栓部材７を飲み口孔４又は収納部１３に嵌め込んだり取り外したりすることができるようにしてある。また、把持片９には、凹凸形状を形成して把持するときに滑り難いように構成することもできる。
【００３６】
図示の実施例において、連結部材８には円弧状の切欠部１４を設けてあり、図３に示すように栓部材７で飲み口孔４を塞いだ状態において、栓部材７と連結部材８が起立部３の内周側に突出しないように形成してある。これにより、栓部材７で飲み口孔４を塞いだ状態においても、起立部３内の天板部１に他の飲料用カップの底部を受容することができ、飲料用カップを積み重ねて置くことができる。
【００３７】
図示の実施例において、栓部材７及び連結部材８は、右手で把持片９を把持して飲み口孔４の開閉操作を行い易いように、図２において蓋本体１０の右手前方向に設けてある。なお、栓部材７及び連結部材８を設ける位置は、図示の実施例に限られず、左手で操作し易いように蓋本体１０の左手前方向に設けることもできる他、蓋本体１０の周囲の任意の箇所に設けることが可能である。
好ましくは、栓部材７を天板部１の中心から飲み口孔４に向かって左又は右に９０度以内に設けるとよく、連結部材８の長さを短くすることができる。
また、連結部材８は、カップ内の飲料を飲むときに連結部材８が口の周りに当たって邪魔にならないように、天板部１の中心と飲み口孔４を結ぶ線から左又は右に２０度以上の方向に設けることが好ましく、且つ、連結部材８の長さを短くできるように、天板部１の中心と飲み口孔４を結ぶ線から左又は右に７０度以内の方向に設けることが好ましい。
【００３８】
図示の実施例において、栓部材７及び連結部材８は、蓋本体１０と一体的に合成樹脂シートを絞り成形加工し、蓋本体１０、栓部材７及び連結部材８の周囲を切断加工してなり、従来の飲み口孔に開閉機能のない飲料用カップの蓋と同じ工程で成形することができ、低コストで成形することができる。
【００３９】
また、図１及び図２に示すように、天板部１には、カップ内の飲料を飲むときに栓部材７を収納する収納部１３を設けてある。収納部１３は、栓部材７と嵌合する長円形状の嵌合凹部と該嵌合凹部の中央に設けた円形状の逃げ凹部とからなり、栓部材７を嵌合凹部に嵌め込むことにより収納することができるように構成してある。
なお、収納部１３は、図示の実施例のように天板部１に限らず、起立部３に設けることも可能であるが、連結部材８の長さを短くすることができるように、天板部１又は起立部３の栓部材７寄りの部分に設けることが好ましい。
【００４０】
次に、本発明に係る飲料用カップの蓋の作用について説明する。
図３に示すように、栓部材７を飲み口孔４に嵌合させることにより飲み口孔４が閉口し、カップ内を密閉して飲料用カップをテイクアウトする際にも飲料が漏れ出すのを防ぐことができる。カップ内の飲料を飲むときには、把持片９を把持して飲み口孔４から栓部材７を取り外し、栓部材７を収納部１３に嵌合させて収納することにより飲み口孔４が開口し、唇で口当て部５を咥えてカップ内の飲料を飲むことができる。
【実施例２】
【００４１】
次に、図７乃至図９に本発明の実施例２を示してあり、この実施例２について説明する。
この実施例２において、図中図１乃至図６に示した実施例１と同じ符号を付した部材又は構成は、同じ部材又は構成である。
図７において、２０は突起部であり、起立部３の頂面に設けてあり、図９に示すように栓部材７を収納部１３に収納したときに、連結部材８に設けた嵌合孔２１と嵌合して連結部材８の弛みを取り除くことができるように構成してある。また、図８に示すように栓部材７を飲み口孔４に嵌合させたときに、突起部２０は連結部材８と干渉しない位置に設けてある。
なお、突起部２０は、図示の実施例のように起立部３に設けることができる他、天板部１に設けることも可能である。
【実施例３】
【００４２】
次に、図１０乃至図１５に本発明の実施例３を示してあり、この実施例３について説明する。
この実施例３において、図中図１乃至図６に示した実施例１と同じ符号を付した部材又は構成は、同じ部材又は構成である。
図１０乃至図１５中符号２２が、上記起立部３の正面位置に上向きに膨出して形成した膨出部で、この膨出部２２の頂面に上記飲み口孔４を設けてある。図示した実施例では膨出部２２を起立部の正面位置に上向きに膨出して設けてあるが、天板部１に起立部３を設けることなく、天板部１の正面位置に上向きに膨出した膨出部を設けて、この膨出部の頂面に飲み口孔４を設けてもよい。
【図面の簡単な説明】
【００４３】
【図１】本発明飲料用カップの蓋の実施例１を示す斜視図。
【図２】その実施例１を示す平面図。
【図３】その実施例１の一態様を示す平面図。
【図４】その実施例１の別の態様を示す平面図。
【図５】その実施例１を示す正面図。
【図６】その実施例１を示すＡ−Ａ線断面図。
【図７】本発明飲料用カップの蓋の実施例２を示す斜視図。
【図８】その実施例２の一態様を示す平面図。
【図９】その実施例２の別の態様を示す平面図。
【図１０】本発明飲料用カップの蓋の実施例３を示す斜視図。
【図１１】その実施例３を示す平面図。
【図１２】その実施例３の一態様を示す平面図。
【図１３】その実施例３の別の態様を示す平面図。
【図１４】その実施例３を示す正面図。
【図１５】その実施例３を示すＢ−Ｂ線断面図。
【符号の説明】
【００４４】
１  天板部
２  係合部
３  起立部
４  飲み口孔
５  口当て部
６  凹部
７  栓部材
８  連結部材
９  把持片
１０  蓋本体
１１  外周部
１２  係合凹部
１３  収納部
１４  切欠部
２０  突起部
２１  嵌合孔
２２  膨出部
【図１】
2006160366.tif 000003
【図２】
2006160366.tif 000004
【図３】
2006160366.tif 000005
【図４】
2006160366.tif 000006
【図５】
2006160366.tif 000007
【図６】
2006160366.tif 000008
【図７】
2006160366.tif 000009
【図８】
2006160366.tif 000010
【図９】
2006160366.tif 000011
【図１０】
2006160366.tif 000012
【図１１】
2006160366.tif 000013
【図１２】
2006160366.tif 000014
【図１３】
2006160366.tif 000015
【図１４】
2006160366.tif 000016
【図１５】
2006160366.tif 000017
【手続補正書】
【提出日】平成17年2月22日(2005.2.22)
【手続補正１】
【補正対象書類名】明細書
【補正対象項目名】００４２
【補正方法】変更
【補正の内容】
【００４２】
次に、図１０乃至図１５に本発明の実施例３を示してあり、この実施例３について説明する。
この実施例３において、図中図１乃至図６に示した実施例１と同じ符号を付した部材又は構成は、同じ部材又は構成である。
図１０乃至図１５中符号２２が、上記起立部３の正面位置に上向きに膨出して形成した膨出部で、この膨出部２２の頂面に上記飲み口孔４を設けてある。図示した実施例では膨出部２２を起立部の正面位置に上向きに膨出して設けてあるが、天板部１に起立部３を設けることなく、天板部１の正面位置に上向きに膨出した膨出部を設けて、この膨出部の頂面に飲み口孔４を設けてもよい。さらに、図１１乃至図１３の上部に表された小円は、この種飲料用カップの蓋においては自明の蒸気逃がし穴である。